(57)【特許請求の範囲】
【請求項１】
容器軸方向の一方側に位置する一端開口部が径方向に挟み込まれて閉塞されてなるシール部が形成された胴部と、
該胴部において容器軸方向の他方側に位置する他端開口部に配設された口部と、を備えるチューブ容器であって、
前記胴部に剛体リングが外嵌され、
前記剛体リングは、前記胴部の変形に伴って周長が変化せずに定型性を維持することが可能な剛性を有し、
前記胴部は、容器軸方向に直交する径方向の内側に押し込まれた場合に、前記剛体リングに外嵌されている胴部部分において、変形を生じずに定型性が維持されるとともに、押圧力の解放により前記胴部部分を基準として復元変形することを特徴とするチューブ容器。
【請求項２】
前記剛体リングには、前記胴部に沿って前記容器軸方向の一方側に延びる押し板が設けられていることを特徴とする請求項１に記載のチューブ容器。
【発明の詳細な説明】
【技術分野】
【０００１】
本発明は、注出後の内容物の液垂れを防止できるチューブ容器に関するものである。
【背景技術】
【０００２】
この種のチューブ容器として、従来、容器軸方向の一方側の一端開口部が径方向に挟み込まれて閉塞されてなるシール部が形成された胴部、及び該胴部の容器軸方向の他方側の他端開口部に配設された口部を有するチューブ本体と、口部に装着されたキャップと、を備える構成が知られている。このようなチューブ容器では、注出後に口部に残存した内容物が液垂れするおそれがあった。
そこで、例えば下記特許文献１に記載されているような、内容物を一方向にだけ流動可能とする逆止弁をチューブ本体の口部に形成した逆止弁付きのチューブがある。このような逆止弁付きチューブ容器では、チューブ本体から注出された内容物の逆流を防ぐとともに、チューブ本体から内容物を注出した後の液切れが良く、液垂れが生じにくい。
【先行技術文献】
【特許文献】
【０００３】
【特許文献１】特開２００８−１２０４２６号公報
【発明の概要】
【発明が解決しようとする課題】
【０００４】
しかしながら、上記した従来のチューブ容器では、逆止弁を口部に取り付けるための複雑な構造が必要となることから、構造の簡素化が求められており、その点で改善の余地があった。
【０００５】
本発明は、このような事情に鑑みてなされたものであって、その目的は、簡単な構造により注出後のチューブ本体の復元変形をし易くして吸い込み力を増大させることで、内容物の液切れが良くなり、注出口から内容物が液垂れするのを防止することができるチューブ容器を提供することである。
【課題を解決するための手段】
【０００６】
上記の目的を達成するために、この発明は以下の手段を提供している。
本発明に係るチューブ容器は、容器軸方向の一方側に位置する一端開口部が径方向に挟み込まれて閉塞されてなるシール部が形成された胴部と、該胴部において容器軸方向の他方側に位置する他端開口部に配設された口部と、を備えるチューブ容器であって、前記胴部に剛体リングが外嵌され、前記剛体リングは、前記胴部の変形に伴って周長が変化せずに定型性を維持することが可能な剛性を有し、前記胴部は、容器軸方向に直交する径方向の内側に押し込まれた場合に、前記剛体リングに外嵌されている胴部部分において、変形を生じずに定型性が維持されるとともに、押圧力の解放により前記胴部部分を基準として復元変形することを特徴としている。
【０００７】
本発明に係るチューブ容器によれば、チューブ容器から内容物を注出する際に、胴部において剛体リングより容器軸方向の一方側に位置する押し込み部分を径方向の内側に押し込んで押圧すると、内容物が容器軸方向の他方側へ移動して口部から内容物が注出される。このとき、胴部の口部側部分のうち剛体リングに外嵌されている部分は、定型性が維持され、周長が変化しない。
そのため、前述のように胴部を押し込んだ場合においても、前記剛体リングから容器軸方向の他方側にかけての部分は初期状態（原形）を維持する。つまり、剛体リングが装着されることで周長変化が抑制されたチューブ容器の胴体部分を基準として胴部が復元変形し易くなる。
【０００８】
したがって、押圧力の解放時の復元変形に伴って胴部内の負圧が大きくなり、口部から胴部内への内容物の吸い込み力が増大するため、内容物の液切れが良くなり、注出口から内容物が液垂れするのを防止することができる。
【０００９】
上述したように、剛体リングを胴部に外嵌させる構造とすることで、胴部の復元力による吸い込み力を利用して液垂れ防止が可能となるので、チューブ容器の構造を複雑にすることなく、簡素化を図ることができる。
【００１０】
また、上記本発明のチューブ容器において、前記剛体リングには、前記胴部に沿って前記容器軸方向の一方側に延びる押し板が設けられていてもよい。
【００１１】
この場合には、押し板の面により胴部の前記押し込み部分を径方向の内側へ押し込むことができるので、胴部に作用する押圧力がその面内で均一化され、注出量を安定させることができる。
【発明の効果】
【００１２】
本発明に係るチューブ容器によれば、簡単な構造により注出後のチューブ本体の復元変形をし易くして吸い込み力を増大させることで、内容物の液切れが良くなり、注出口から内容物が液垂れするのを防止することができる。
【図面の簡単な説明】
【００１３】
【図１】本発明に係るチューブ容器の実施形態を示す部分縦断面図である。
【図２】図１に示すチューブ容器の側面図である。
【図３】チューブ容器の作用を説明する図であって、図１に示すチューブ本体を押し込んで内容物を注出させた状態を示す側面図である。
【図４】他の実施形態によるチューブ容器を示す部分縦断面図である。
【発明を実施するための形態】
【００１４】
以下、本発明に係るチューブ容器の実施形態について図面を参照して説明する。
図１に示すように、本実施形態のチューブ容器１は、内容物が収容されるチューブ本体２と、このチューブ本体２の口部２ａに外嵌されると共に注出口４が形成された有頂筒状の装着部材３と、装着部材３の周壁部に着脱自在に螺着された有頂筒状のオーバーキャップ５と、チューブ本体２の胴部２ｂに外嵌された剛体リング６と、を備えている。
【００１５】
なお、上述したチューブ本体２、装着部材３、オーバーキャップ５は、それぞれの中心軸線が共通軸上に位置された状態で配設されている。本実施形態ではこの共通軸を容器軸Ｏといい、上記チューブ容器１において、容器軸Ｏに沿ったオーバーキャップ５側を上側、チューブ本体２側を下側という。また、容器軸Ｏに直交する方向を径方向といい、容器軸Ｏ回りに周回する方向を周方向という。
【００１６】
図１及び図２に示すように、チューブ本体２は、下端開口部が径方向に挟み込まれて閉塞されてなるシール部２ｃが形成された胴部２ｂと、胴部２ｂの上端開口部に配設された口部２ａと、を備えている。
胴部２ｂには、容器軸Ｏ方向の中間部（本実施形態では容器軸Ｏ方向に沿って中央部より上側にずれた位置）に、周方向の全周にわたって環状溝２ｄが形成されている。この環状溝２ｄに前記剛体リング６が嵌着されている。
【００１７】
剛体リング６は、環状溝２ｄに嵌着された状態で、胴部２ｂの変形に伴って周長が変化することがなく、定型性を維持できるだけの剛性を有しており、胴部２ｂの外形と同一形状を有している。
【００１８】
図１に示すように、装着部材３は、チューブ本体２の口部２ａ内に嵌合された内筒部３１と、チューブ本体２の口部２ａに外嵌されると共に外周面に雄ねじ部３２ａが形成された外筒部３２と、内筒部３１の容器軸Ｏ方向の中間部と外筒部３２の上端部とを連結すると共に口部２ａの開口端縁上に位置する連結環３３と、を備えている。そして、内筒部３１の内面が上記注出口４となっている。
【００１９】
オーバーキャップ５は、有頂筒状に形成され、天壁部５１に外筒部３２の雄ねじ部３２ａに螺合する雌ねじ筒５２が下方に向けて突設されるとともに、天壁部５１の外周縁から下方に向けて延びる周壁部５３が設けられている。
【００２０】
次に、上述したように構成されたチューブ容器１の作用について説明する。
図３に示すように、オーバーキャップ５を取り外してチューブ容器１から内容物を注出する際に、胴部２ｂにおいて剛体リング６より下方に位置する押し込み部分Ｒを径方向の内側（図３に示す矢印Ｐ／シール部２ｃが挟み込まれる方向）に押し込んで押圧すると、当該押し込み部分Ｒの周辺部分が扁平に変形し、内容物が上方へ移動して注出口４（口部２ａ）から内容物が注出される。
なお、図３に示す二点鎖線は、胴部２ｂが押圧されていない状態を示している。
【００２１】
このとき、胴部２ｂの口部側部分２ｅのうち剛体リング６に外嵌されている部分は定型性が維持され、周長が変化しない。
そのため、前述のように胴部２ｂの押し込み部分Ｒを押し込んだ場合においても、剛体リング６が装着された胴部部分は変形を生じないため、押圧力を解放した際にはこの胴部部分を基準として復元変形が速やかに達成される。
【００２２】
したがって、押圧力の解放時の復元変形に伴って胴部２内の負圧が大きくなり、口部２ａから胴部２ｂ内への内容物の吸い込み力が増大するため、内容物の液切れが良くなり、注出口４から内容物が液垂れするのを防止することができる。
【００２３】
上述したように、剛体リング６を胴部２ｂに外嵌させる構造とすることで、胴部２ｂの復元力による吸い込み力を利用して液垂れ防止が可能となるので、チューブ容器１の構造を複雑にすることなく、簡素化を図ることができる。
【００２４】
また、チューブ本体２内の内容物が残り僅かとなっている場合でも、前述のように速やかな復元変形が可能である。
【００２５】
なお、本発明の技術範囲は、上記実施形態に限定されるものではなく、本発明の趣旨を逸脱しない範囲において、種々の変更を加えることが可能である。
【００２６】
例えば、本実施形態では胴部２ｂに周方向に延びる環状溝２ｄに剛体リング６を嵌着させているが、このような構成に限定されることはなく、環状溝２ｄを設けずに、剛体リング６をチューブ本体２の胴部２ｂに圧着や接着させる構成とすることも可能である。
さらに、剛体リング６はチューブ本体２の外形（断面形状）に合わせればよく、円形、楕円、角形など、その形状は限定されない。
【００２７】
また、本実施形態では剛性リング６が容器軸Ｏ方向に沿って中央部より上側にずれた位置に配置されているが、このような位置に限定されることはなく、任意の位置に設定することが可能である。
【００２８】
また、図４に示す変形例によるチューブ容器１Ａでは、胴部２ｂに沿って下側に延びる平板状の押し板７が剛体リング６に設けられている。この押し板７は、胴部２ｂを挟んだ両側（シール部２ｃが挟み込まれる方向）にそれぞれ配置されている。
この場合には、押し板７の面により胴部２ｂの前記押し込み部分Ｒを径方向の内側へ押し込むことができるので、胴部２ｂに作用する押圧力がその面内で均一化され、注出量を安定させることができる。
【符号の説明】
【００２９】
１、１Ａ  チューブ容器
２  チューブ本体
２ａ  チューブ本体の口部
２ｂ  チューブ本体の胴部
２ｃ  シール部
２ｄ  環状溝
２ｅ  口部側部分
３  装着部材
４  注出口
５  オーバーキャップ
６  剛体リング
７  押し板
Ｏ  容器軸
Ｒ  押し込み部分
【図１】
0005690528.tif 000002
【図２】
0005690528.tif 000003
【図３】
0005690528.tif 000004
【図４】
0005690528.tif 000005